(57)【要約】【課題】横倒しにできない商品を水平姿勢のまま出し入れすることができ、商品挿入後商品を水平のまま手で提げることを可能とする。【解決手段】ポリエチレン等のプラスチックフィルムからなり、一端が開口された袋本体５の一面側に、該開口部２からの商品挿入方向Ａに対し直交する袋幅方向に同じくプラスチックフィルムからなる所要幅の少なくとも１条の把手６の両端を袋本体５の側縁３，３に一体的に固着して設けたことを特徴とする。【選択図】　図１
2004042918.tif 000002
【特許請求の範囲】
【請求項１】
ポリエチレン等のプラスチックフィルムからなり、一端が開口された袋本体の一面側に、該開口部からの商品挿入方向に対し直交する袋幅方向に同じくプラスチックフィルムからなる所要幅の少なくとも１条の把手の両端を袋本体の側縁に一体的に固着して設けたことを特徴とする把手付き手提げ袋。
【請求項２】
前記袋本体の開口部の一面側を他面側より延長して折り返し自在な延長部を有し、この延長部を折り返して開口部を封止するようになされている請求項１記載の把手付き手提げ袋。
【請求項３】
前記袋本体は、プラスチックフィルムを一片の自由端が他片の自由端より突出するようにして２つ折りし、その一片の表面に前記把手を構成する少なくとも１条のプラスチックフィルムを重ねて置き、これらフィルムを袋本体の幅に溶断することにより両側縁が溶着されるとともに把手が袋本体の両側縁に一体的に溶着されてなる請求項２記載の把手付き手提げ袋。
【発明の詳細な説明】
【０００１】
【発明の属する技術分野】
本発明は把手付き手提げ袋に関する。
【０００２】
【従来の技術】
商品を袋に入れて顧客に手渡し、顧客は袋の口部に設けられた把手を持って手に提げて持ち帰るようにした手提げ袋は種々提供されている。
【０００３】
しかして商品がケーキのように横倒しにできないようなもの、あるいは持ち帰り用のにぎりずしのように平面形状が比較的大きい扁平容器に納められかつ横倒しができないようなものであると、通常のポリエチレン製の手提げ袋には入れられず、そのため上記商品を水平姿勢のまま出し入れすることができるよう開口部を大きくした扁平な形態の手提げ袋が用いられている。
【０００４】
【発明が解決しようとする課題】
しかるに上記のような扁平形態の手提げ袋では、商品を上から入れる際に袋の開口部を全開状態に保つことが難しく、きわめて入れにくいものとなって手間どるほか、商品を装入したのち袋の開口部が大きく開いたままとなるため、商品を予めラップ等で包装したうえ袋に入れる必要があり、余分な手数が掛かることが避けられない。
【０００５】
さらに開口部の両側にある把手を持って手で提げるとき、開口部が幅広であるため持ちにくいという難点があった。
【０００６】
本発明はこれに鑑み、横倒しすることのできない商品であっても入れやすく、かつ商品を入れたのちに開口部を封止して密閉を可能として予め商品を包装する手数を省くことができ、商品を入れたのちにおける手提げがしやすい把手付き手提げ袋を提供することを課題としてなされたものである。
【０００７】
【課題を解決するための手段】
上記課題を解決する手段として本発明は、ポリエチレン等のプラスチックフィルムからなり、一端が開口された袋本体の一面側に、該開口部からの商品挿入方向に対し直交する袋幅方向に同じくプラスチックフィルムからなる所要幅の少なくとも１条の把手の両端を袋本体の側縁に一体的に固着して設けたことを特徴とする。
【０００８】
こうしたことにより、把手を上面側として袋本体を平らに置き、その一端の開口部から横倒しにできない商品を袋本体に挿入し、次いで開口部を封止して把手に手を掛けて持てば、商品を水平姿勢のまま手に提げて持ち運ぶことができる。
【０００９】
その場合、商品は袋本体の開口部を封止することで完全包装状態となるので、予め商品を包装しておかなくとも持ち帰りに支障をきたすことがない。また袋本体に対し商品を横向きに開口する開口部を通じて水平方向に出し入れするので、商品を挿入しやすくまた取り出しやすい手提げ袋となる。
【００１０】
前記袋本体の開口部の一面側を他面側より延長して折り返し自在な延長部を形成し、この延長部を折り返して開口部を封止するようにすれば、開口部の封止を一層確実なものとすることができる。
【００１１】
また前記袋本体は、プラスチックフィルムを一片の自由端が他片の自由端より突出するようにして２つ折りし、その一片の表面に前記把手を構成する少なくとも１条のプラスチックフィルムを重ねて置き、これらフィルムを袋本体の幅に溶断することにより両側縁が溶着されるとともに把手が袋本体の両側縁に一体的に溶着される構成とすることが好ましい。
【００１２】
【発明の実施の形態】
以下、本発明を図面に示す実施の形態を参照して説明する。
【００１３】
図１は本発明による把手付き手提げ袋１の一実施形態の外観を示すもので、ポリエチレン、ポリプロピレン等のプラスチックフィルムにより一端に開口部２が形成されるとともに両側縁３，３および他端縁４が封止された袋本体５を有し、この袋本体５の一面側の外面の長手方向略中央位置付近で前記開口部２からの商品挿入方向Ａに対し直交する袋幅方向に同じくプラスチックフィルムからなる所要幅の２条の把手６，６がその両端を前記袋本体５の両側縁３，３に一体的に溶着して設けられている。
【００１４】
前記袋本体５の開口部２は、その一面側が他面側より延長されていて延長部７とされ、開口部２から商品８を挿入したのち前記延長部７を図２（Ａ）のように折り返して他面側にテープ止め、粘着剤塗布による接着等により封止することができるようになっている。
【００１５】
なお前記把手６は、封入する商品８の形態や重量等により図３に示すように１条としてもよい。
【００１６】
図４は、上記把手付き手提げ袋１の構造をより具体的に示すもので、長尺のプラスチックフィルムＦを一片の自由端Ｆａが他片の自由端Ｆｂより所要長さ（５０〜７０ｍｍ程度）突出するようにして２つ折りし、その一片の表面に前記把手６，６を構成する帯状のプラスチックフィルムＦｃ，Ｆｃを重ねて置き、これらフィルムを共に袋本体５の幅に相当する位置Ｂ，Ｂ…で溶断することにより袋本体５の両側縁３，３となる部分が溶断時に溶着されるとともに把手６，６の両端が上記両側縁３，３に共に溶着されて一体化された構造となる。
【００１７】
この場合、図５に示すように、プラスチックフィルムＦの２つ折り部分Ｆｄを内方へ折り込んでガセットＦｅとし、袋本体５に商品８を封入したとき上方に厚みをもって膨らむようにすることもできる。
【００１８】
したがって横倒しできない商品８を販売する際には、把手６，６を上面側としてその一端の開口部２から水平な状態で商品８を挿入し、次いで開口部２の延長部７を折り返してテープ貼り等により封止する。
【００１９】
このようにしたのちその状態のまま図２（Ｂ）に示すように把手６，６に手を掛けて持てば、商品８を水平姿勢のまま手に提げて持ち運ぶことができる。
【００２０】
そのとき商品８は、袋本体５の開口部２が封止されることにより包装されたと同様の状態となり、そのため商品８を予め包装する必要がなく、販売時の手数や包装資材を省くことができる。
【００２１】
さらに商品８を袋本体５に開口部２から水平方向に挿入しまた取り出すことができるため、商品８がケーキのように形崩れしやすいものであっても形を乱してしまうことなく出し入れすることができる。
【００２２】
前記袋本体５と把手６とに同じ材質のフィルムを用いれば、回収後の処理を容易とすることができ、またこれら袋本体５および把手６に生分解質プラスチックを用いれば、回収後自然分解（炭酸ガスと水）させることができるので、一層後処理が容易であり、環境問題も生じないものとすることができる。さらに図示の実施形態では２辺を溶着して袋本体５を形成する場合を例示したが、３辺を溶着した袋構造としてもよいことはもちろんである。
【００２３】
【発明の効果】
以上説明したように本発明によれば、袋本体の一端の開口部から商品を水平方向に挿入して封止したのち把手を持つことにより商品を水平姿勢のまま手で提げることができるので、商品が横倒しにできないケーキやパン、その他の品物であっても形を崩すことなく持ち運ぶことができる。
【００２４】
また商品を袋本体に挿入したのち開口部を封止するだけで包装されたと同様の密閉包装形態とすることができるので、別途商品を包装してから手提げ袋に入れるという必要がなく、販売時における手数はもとより包装資材の節減を図ることができる。
【００２５】
さらに商品を水平姿勢のまま袋本体内への挿入および取り出しができるので、上方から広口の袋へ商品を入れる従来の形態に比べ商品の出し入れがきわめてやりやすく、かつ広口の袋と異り把手を持ちやすい形態とすることができる。
【図面の簡単な説明】
【図１】本発明による把手付き手提げ袋の一実施形態を示す斜視図。
【図２】図１の把手付き手提げ袋に商品を挿入した状態を示し、（Ａ）は開口部を封止した状態の斜視図、（Ｂ）は手で提げた状態の断面図。
【図３】同、他の実施形態を示す斜視図。
【図４】同、具体的構成例を示し、（Ａ）は平面図、（Ｂ）は端面図。
【図５】同、他の構成例を示し、（Ａ）は平面図、（Ｂ）は端面図。
【符号の説明】
１　把手付き手提げ袋
２　開口部
３　側縁
４　端縁
５　袋本体
６　把手
７　延長部
８　商品
Ｆ、Ｆｃ　プラスチックフィルム
Ｆａ、Ｆｂ　自由端
Ｆｄ　２つ折り部分
Ｆｅ　ガセット
【図１】
2004042918.tif 000003
【図２】
2004042918.tif 000004
【図３】
2004042918.tif 000005
【図４】
2004042918.tif 000006
【図５】
2004042918.tif 000007